(57)【特許請求の範囲】
【請求項１】
シャフト間に張架され、循環駆動されるコンベアにより食器を搬送し、洗浄とすすぎを行う食器洗浄機において、
従動側となる前記シャフトの両端部が挿通される軸位置調整用の長孔と、該長孔の外側に位置して前記シャフトに取り付けられた軸受具と、前記長孔の両側に設けられ、該長孔に沿う方向にのみ前記軸受具を移動可能に保持する支持レールと、前記長孔内における前記シャフトの位置を調整するための軸位置調整装置とを備え、
前記長孔を、前記支持レールよりも前記コンベアの内方に前記シャフトの直径分以上の寸法で長く延在させたことを特徴とする食器洗浄機。
【請求項２】
前記軸受具を保持する軸受支持具は、上下端に平坦面が形成されていると共に、この平坦面を支持レールに合致させていることを特徴とする請求項１の食器洗浄機。
【請求項３】
前記軸受支持具の上下端の平坦面との間に前記軸位置調整装置を取り付ける取付孔を形成したことを特徴とする請求項２の食器洗浄機。
【発明の詳細な説明】
【０００１】
【発明の属する技術分野】
本発明は、食器類をコンベアにて順次移動させながら洗浄とすすぎを行う食器洗浄機に関するものである。
【０００２】
【従来の技術】
コンベアを順次移動させながら洗浄とすすぎを行う従来の食器洗浄機は、本体及び本体の両側方に形成されるコンベア搬入部とコンベア搬出部とにより構成されており、コンベアによってコンベア搬入部より本体内に移動され、本体内において、順次洗浄とすすぎが行われた後、コンベア搬出部に搬出される構成とされている。
【０００３】
該コンベアは、例えばコンベア搬出部側にコンベアの駆動部が形成されていると共に、コンベア搬入部及びコンベア搬出部にコンベアシャフトが設けられ、これによって、コンベアがコンベア搬入部からコンベア搬出部に循環駆動される構成とされている。
【０００４】
ここで、コンベア搬入部に形成されるコンベアシャフトは、コンベアシャフトの前後には、外方に複数に延出して構成されるコンベアスプロケットがそれぞれ設けられており、このコンベアスプロケットが回転することにより、コンベアが移動される。また、コンベアシャフトの前端及び後端は、循環駆動されるコンベアを支持するための搬入レールに予め形成された長孔に挿通された後、長孔の外側に位置して軸受具が取り付けられる。そして、この長孔の上縁及び下縁には、支持レールが形成されており、この支持レールに沿ってコンベアシャフトの端部を左右に移動させることによってコンベアの張りの調整を行っていた。
【０００５】
【発明が解決しようとする課題】
しかしながら、従来の食器洗浄機では、上記長孔の左右の寸法は、支持レールの左右寸法と略同一に形成されていたため、上記軸受具のメンテナンスを行う際に、長孔と支持レールから軸受具を取り外すことが不可能となり、コンベア自体を分断する又はコンベア搬入部全体を分解して軸受具のメンテナンスを行わなければならなかった。
【０００６】
そのため、コンベアの駆動によって特に消耗が著しい軸受具のメンテナンスを行うことが困難であり、メンテナンス作業性が悪いという問題があった。
【０００７】
そこで、本発明は、容易にコンベアの軸受具のメンテナンス作業性を向上させることができる食器洗浄機を提供することを目的とする。
【０００８】
【課題を解決するための手段】
本発明の食器洗浄機は、シャフト間に張架され、循環駆動されるコンベアにより食器を搬送し、洗浄とすすぎを行うものであって、従動側となるシャフトの両端部が挿通される軸位置調整用の長孔と、該長孔の外側に位置してシャフトに取り付けられた軸受具と、長孔の両側に設けられ、該長孔に沿う方向にのみ軸受具を移動可能に保持する支持レールと、長孔内におけるシャフトの位置を調整するための軸位置調整装置とを備え、長孔を、支持レールよりもコンベアの内方にシャフトの直径分以上の寸法で長く延在させたことを特徴とする。
【０００９】
本発明によれば、シャフト間に張架され、循環駆動されるコンベアにより食器を搬送し、洗浄とすすぎを行う食器洗浄機において、従動側となるシャフトの両端部が挿通される軸位置調整用の長孔と、該長孔の外側に位置してシャフトに取り付けられた軸受具と、長孔の両側に設けられ、該長孔に沿う方向にのみ軸受具を移動可能に保持する支持レールと、長孔内におけるシャフトの位置を調整するための軸位置調整装置とを備え、長孔を、支持レールよりもコンベアの内方にシャフトの直径分以上の寸法で長く延在させたので、軸位置調整装置を操作することによって、軸受具を長孔及び支持レールに沿ってコンベア内方に移動させ、コンベア内方に位置する長孔より支持レールから軸受具を開放することができるようになる。
【００１０】
これにより、軸受具が開放された状態で、容易に軸受具を取り外すことが可能となり、コンベアをシャフト間に張架された状態で容易に軸受具のメンテナンスを行うことができるようになり、従来に比してメンテナンス等の作業性を向上させることができるようになる。
【００１１】
また、軸受具のメンテナンスを終了した際には、軸受具を支持レールに保持されるように、軸位置調整装置を操作し、これにより、軸受具が軸位置調整装置によってコンベアの外方に押圧され、これに伴って、軸受具に支持されるシャフトがコンベア外方に押圧される。そして、この軸位置調整装置の締め付け度合いを調整することによって、コンベアの張りを容易に調整することができるようになる。
【００１２】
請求項２の発明の食器洗浄機は、請求項１の発明に加えて、軸受具を保持する軸受支持具は、上下端に平坦面が形成されていると共に、この平坦面を支持レールに合致させていることを特徴とする。
【００１３】
請求項２の発明によれば、請求項１の発明に加えて、前記軸受具を保持する軸受支持具は、上下端に平坦面が形成されていると共に、この平坦面を支持レールに合致させているので、軸受支持具が支持レールの内壁に合致して取り付けることができるようになり、軸受具を安定して固定することができるようになる。
【００１４】
請求項３の発明の食器洗浄機は、請求項２の発明に加えて、軸受支持具の上下端の平坦面との間に軸位置調整装置を取り付ける取付孔を形成したことを特徴とする。
【００１５】
請求項３の発明によれば、請求項２の発明に加えて、軸受支持具の上下端の平坦面との間に軸位置調整装置を取り付ける取付孔を形成したので、軸位置調整装置を軸受支持具の取付孔に取り付けることができるようになる。
【００１６】
これにより軸位置調整装置を緩めることにより、軸位置調整装置に取り付けられた軸受支持具が前記長孔及び前記支持レールに沿って移動可能とすることができ、容易にコンベアの張りを調整することができるようになる。
【００１７】
【発明の実施の形態】
次に、図面に基づき本発明の実施形態を詳述する。図１は本発明の食器洗浄機ＤＷの斜視図、図２は食器洗浄機ＤＷの内部構造説明図、図３は洗浄室２の洗浄領域２Ｗ内の部分拡大内部構造説明図、図４は洗浄室２のすすぎ領域２Ｒ内の部分拡大内部構造説明図を示している。本発明の食器洗浄機ＤＷは、内部に洗浄室２が構成された本体１と、係る本体１の左右側壁３、４からそれぞれ外方に延出して形成されるコンベア搬入部２０及びコンベア搬出部２１とから構成されている。本体１の左右側壁３、４には、相対向してコンベア５の入出用の開口６、７が形成されており、係る開口６、７から搬入又は搬出されたコンベア５は、コンベア搬入部２０及びコンベア搬出部２１に移送される。尚、これらコンベア搬入部２０及びコンベア搬出部２１の詳細は後述する。
【００１８】
前記本体１の底面を形成する底壁８は、下方へ凹陥されており、この凹陥部に貯水タンク１０が形成されている。また、洗浄室２内下部の前壁９及び図示しない後壁及び前記コンベア搬入部２０、コンベア搬出部２１に沿って本体レール１２、１２が取り付けられており、コンベア搬入部２０から搬入されたコンベア５は、開口６側から開口７側へ移動した後、コンベア搬出部２１に搬出可能に構成されている。
【００１９】
洗浄室２内は入口となる一方の開口６側が洗浄領域２Ｗ、出口となる他方の出口側がすすぎ領域２Ｒとされ、前記洗浄領域２Ｗ内の上下に前段の洗浄を行う一対の上下洗浄ノズル１３Ａ、１３Ｂが設けられていると共に、すすぎ領域２Ｒ内の上下には終段のすすぎを行う一対の上下すすぎノズル１４Ａ、１４Ｂがそれぞれ設けられている。また、前記本体レール１２、１２は上記洗浄領域２Ｗからすすぎ領域２Ｒまで渡って設けられている。また、図２、図３及び図４に示す如く本体１の入口側の開口６と上下洗浄ノズル１３Ａ、１３Ｂとの間には、天壁１５等から例えば下端が洗浄室２内の中央部に位置する寸法の洗浄室内用カーテン３３が吊下されている。更に、本体１の上下洗浄ノズル１３Ａ、１３Ｂと上下すすぎノズル１４Ａ、１４Ｂとの間には、同じく天壁１５等から例えば下端が洗浄室２内の中央部に位置する寸法の洗浄室内用カーテン３４が吊下されている。これにより、洗浄室内用カーテン３３、３４によって予め洗浄水が外部に噴出することを未然に回避することができる。
【００２０】
そして、上洗浄ノズル１３Ａ及び上すすぎノズル１４Ａは本体１の天壁１５等に取り付けられ、それぞれの上洗浄ノズル１３Ａ及び上すすぎノズル１４Ａには、複数の噴射口１６Ａ・・、１７Ａが形成されており、その噴射口１６Ａ・・、１７Ａからは下方に洗浄水或いはすすぎ水を噴射する構成とされている。また、下洗浄ノズル１３Ｂ及び下すすぎノズル１４Ｂはそれぞれコンベア５の真下に位置して取り付けられ、それぞれの下洗浄ノズル１３Ｂ及び下すすぎノズル１４Ｂには、複数の噴射口１６Ｂ・・、１７Ｂが形成されており、その噴射口１６Ｂ・・、１７Ｂからは上方に洗浄水或いはすすぎ水を噴射する構成とされている。
【００２１】
１８は前記貯水タンク１０内に貯留された洗浄水を図示しない吸込管などを介して吸引し、加圧して前記上下洗浄ノズル１３Ａ、１３Ｂにそれぞれ配水管２２、２３を介して供給するポンプ装置であり、モータ２４にて駆動される。
【００２２】
尚、上下すすぎノズル１４Ａ、１４Ｂには本体１の外に別置きしたブースターなど適宜の給湯装置（図示せず）からこれも図示しない弁やパイプを介してすすぎ水を供給する。また、この下すすぎノズル１４Ｂの下方には前記貯水タンク１０上部に位置してすすぎ水受け２５が配設されている。このすすぎ水受け２５は上面開口の容器で、上下すすぎノズル１４Ａ、１４Ｂから噴射されたすすぎ水の一部を受けて排水管２６を介して外部に排出すると共に、残りを貯水タンク１０内に供給している。
【００２３】
一方、洗浄室２の開口６及び７には、それぞれカーテン２７、２８が張架されている。このカーテン２７、２８は、それぞれ上方から下端に渡って切れ込みが形成されており、前記コンベア５によって搬送される食器等のそれぞれの被洗浄物の形状に対応して開閉される。
【００２４】
このカーテン２７、２８はそれぞれカーテン２７、２８をそれぞれの開口６、７上縁に取り付けるための取付部としての取付具２９によって取り付けられる。この取付具２９は、断面略Ｕ字状に形成されるカーテン保持部２９Ａと、このカーテン保持部２９Ａの上端に形成されると共に本体１に固定するための取付部２９Ｂと、この取付部２９Ｂの上端から斜め下方内側に向かって折曲して形成される把手部２９Ｃとから構成されている。この取付具２９の取付部２９Ｂには、上下に取付孔３０、３１が形成されている。
【００２５】
以上の構成により、コンベア搬入部２０側に位置する、即ち、被洗浄物の搬入口に相当する開口６にカーテン２７を取り付ける際には、前記取付具２９の下側に位置する取付孔３１を洗浄室２側に位置する開口６の上縁に予め形成された図示しない取付孔と合致させ、図示しないネジなどにより取り付ける。そして、取付具２９のカーテン保持部２９Ａにカーテン２７の上端を保持させる。
【００２６】
これにより、カーテン２７は、開口６に張架される。このとき、カーテン２７の下端は図２及び図３に示す如く、前記コンベア５に接触しない位置であって、開口６を十分に被覆する位置に設定することができるようになり、洗浄室２内において、噴射される洗浄水を外部に漏出することを未然に回避することができるようになる。また、取付具２９の下側に位置する取付孔３１と開口６の上縁に予め形成された取付孔を合致させるのみでカーテン２７の下端がコンベア５に接触しない位置に設定することができるため、容易に搬入側に位置する開口６にカーテン２７を吊り下げることができるようになる。更に、カーテン２７の下端がコンベア５に接触しない位置に設定されるため、洗浄室２内に移動されるコンベア５によってカーテン２７が洗浄室２内に引き込まれることを未然に回避することができるようになる。
【００２７】
他方、コンベア搬出部２１側に位置する、即ち、被洗浄物の搬出口に相当する開口７にカーテン２８を取り付ける際には、前記取付具２９の上側に位置する取付孔３０を洗浄室２側に位置する開口７の上縁に予め形成された図示しない取付孔と合致させ、図示しないネジなどにより取り付ける。そして、取付具２９のカーテン保持部２９Ａにカーテン２８の上端を保持させる。
【００２８】
これにより、カーテン２８は、開口７に張架される。このとき、カーテン２８の下端は図２及び図４に示す如く、前記コンベア５に十分に接触する位置に設定することができるようになり、洗浄室２内において、噴射されるすすぎ水を外部に漏出することを未然に回避することができるようになる。また、取付具２９の上側に位置する取付孔３０と開口７の上縁に予め形成された取付孔を合致させるのみでカーテン２８の下端がコンベア５に十分に接触する位置に設定することができるため、容易に搬出側に位置する開口７にカーテン２８を吊り下げることができるようになる。
【００２９】
また、上述の如く、取付具２９の取付に使用する取付孔を変更するのみで、出口側のカーテン２８を保持する取付具２９よりも入口側のカーテン２７を保持する取付具２９の位置を高くすることができるため、それぞれの使用箇所に応じたカーテンの長さを容易に設定することができるようになる。
【００３０】
更に、本発明によれば、それぞれの使用箇所に応じたカーテンをそれぞれ用意することなく、同一種類のカーテンによって出口側及び入口側のカーテンとして使用することができるため、部品点数を少なくすることができるようになり、コストの削減を図ることができるようになる。また、数種類のカーテンが混在することによって、カーテンを設置する位置を誤認することがなくなり、これによって、それぞれの場所に応じて洗浄室２内から噴出される洗浄水又はすすぎ水が外部に漏出されることを未然に防ぐことができるようになる。
【００３１】
次に、図６乃至図８を参照して、コンベア５及びコンベア搬入部２０を詳細に説明する。図６はコンベア搬入部２０の透視正面図、図７は軸位置調整装置を緩めた際の透視正面図、図８はコンベアシャフトの部分拡大側断面図を示している。コンベア搬入部２０は、上面に開口を有する矩形体を呈しており前面には、図７に示す如くコンベア搬入部２０の前後面には、それぞれ前記本体レール１２の端部からコンベア搬入部２０の端部に渡って搬入レール３５が設けられている。
【００３２】
この搬入レール３５は、コンベア搬入部２０の上端から下端に渡って形成されていると共に、この搬入レール３５の本体１側に位置する端部には、内方に向けて略直角に折曲された側壁３５Ａが形成されている。また、この搬入レール３５の例えば中央部には、軸位置調整用の横方向に長く延在する長孔４０が形成されている。更にこの搬入レール３５の前面には、所定間隔を存してカバー３６が着脱自在に設けられている。また、コンベア搬入部２０の端部から端部側に位置する上面開口縁部に渡って、作業補助台３７が設けられている。
【００３３】
一方、コンベア搬入部２０及びコンベア搬出部２１にはそれぞれ前後に渡ってコンベアシャフト３８が設けられており、これらコンベアシャフト３８間にコンベア５を張架し、コンベア５の前端及び後端をそれぞれコンベア搬入部２０から前記コンベア搬出部２１に渡ってコンベア搬入部２０に形成された搬入レール３５、及び本体レール１２、コンベア搬出部２１に形成された図示しない搬出レールに取り付けることにより、コンベア５はコンベアシャフト３８間を循環駆動可能としている。尚、コンベア搬出部２１におけるコンベアシャフトは図示しない。また、コンベア５は、上方に突出した突起が左右前後に複数形成されており、係る突起間に食器等の被洗浄物を保持可能としている。
【００３４】
また、本実施例において、コンベア５の駆動装置は、コンベア５の出口側に位置するコンベア搬出部２１側に設けられており、コンベア５の入口側に位置するコンベア搬入部２０側はコンベア５の従動側とされる。
【００３５】
ここで、図８を参照して従動側に位置するコンベアシャフト３８の構成を説明する。コンベアシャフト３８の前後には、外方に複数に延出して構成されるコンベアスプロケット３９がそれぞれ設けられており、このコンベアスプロケット３９が回転することにより、コンベア５が移動される。また、コンベアシャフト３８の前端及び後端は、前記搬入レール３５に予め形成された前記長孔４０に挿通される。また、このコンベアシャフト３８の端部には、この長孔４０の外側に位置して軸受具４１が取り付けられる。
【００３６】
前記長孔４０の例えば上下には長孔４０に沿う方向にのみ軸受具４１を移動可能に保持するために左右に渡って支持レール４２、４２が設けられている。このとき、支持レール４２、４２は、それぞれ長孔４０の本体１側の縁部よりもコンベアシャフト３８の直径分以上の寸法分だけ本体１とは反対側に位置するように取り付けられる。即ち、長孔４０は、支持レール４２、４２よりもコンベア５の内方にコンベアシャフト３８の直径分以上の寸法分だけ長く延在している。
【００３７】
また、この支持レール４２は、例えば鋼板製の板状部材であり、この支持レール４２の長孔４０側に位置する端部は、図８に示す如く手前側に突出した後、更に長孔４０側に略直角に折曲して形成される支持面４２Ａが形成されている。また、この支持面４２Ａと軸受具４１との間には上端及び下端が平坦に形成されている例えば略円形状の軸受支持具４３が取り付けられている。そのため、軸受支持具４３が支持レール４２の内壁に合致して取り付けることができ、軸受具４１を安定して固定することができるようになる。
【００３８】
そしてこの軸受支持具４３の本体１側には、図６又は図７に示す如く取付孔４４が形成されている。更に、前記搬入レール３５の側壁３５Ａには、図示しない孔が形成されていると共に、この孔には、ねじ受け具４５が取り付けられている。そして、この搬入レール３５の側壁３５には、前記ねじ受け具４５を介して本体１側から長孔４０内におけるコンベアシャフト３８の位置を調整するための軸位置調整装置としてのネジ部材４６が取り付けられると共に、このねじ受け具４５を挿通したネジ部材４６の先端は、軸受支持具４３の取付孔４４に取り付けられる。尚、図８における４７は、コンベアスプロケット３９と軸受具４１との間隔を調整するためのスペーサである。
【００３９】
以上の構成により、長期に渡ってのコンベア５の使用などにより、軸受具４１のメンテナンスを行う際の手順を説明する。先ず、ネジ部材４６を緩めることにより、ネジ部材４６の先端に取り付けられた軸受支持具４３が長孔４０及び支持レール４２、４２に沿って本体１側に移動される。このとき、長孔４０は、支持レール４２、４２よりもコンベア５の内方にコンベアシャフト３８の直径分以上の寸法分だけ長く延在して形成されているため、図７に示す如く軸受支持具４３は、支持レール４２、４２から開放される。
【００４０】
これにより、軸受支持具４３が開放された状態で、容易にコンベアシャフト３８の軸受として使用される軸受具４１を取り外すことが可能となり、コンベア５を搬入レール３５に張架した状態で容易に軸受具４１のメンテナンスを行うことができるようになり、従来に比してメンテナンス等の作業性を向上させることができるようになる。
【００４１】
また、軸受具４１のメンテナンスを終了した際には、軸受支持具４３を支持レール４２、４２に保持されるように、前記ネジ部材４６を締め付け、これにより、軸受支持具４３がネジ部材４６によってコンベア５の外方に押圧され、これに伴って、軸受支持具４３及び軸受具４１に支持されるコンベアシャフト３８がコンベア５外方に押圧される。そして、このネジ部材４６の締め付け度合いを調整することによって、コンベア５の張りを調整することができる。
【００４２】
次に、図９乃至図１２を参照してコンベア搬出部２１に位置する停止装置５０について説明する。図９は停止装置５０の下面図、図１０はコンベア搬出部２１の部分拡大下面図、図１１は停止装置５０の背面図、図１２は停止装置５０の側面図を示している。コンベア搬出部２２は、コンベア５の出口側に位置しており、前記コンベア搬入部２０側がコンベア５の従動側とされるのに対し、コンベア５の駆動装置としてのコンベアモータ５２が設けられるコンベア５の駆動側とされる。そして、このコンベア搬出部２１の端部には、平面略コ字状を呈するカバー部材５５が設けられており、このカバー部材５５の下方には、コンベア５を停止するための停止装置５０を構成する第１ステー５３Ａ及び第２ステー５３Ｂが設けられている。
【００４３】
図９に示す如くコンベア搬出部２１の端部下面に第１ステー５３Ａ及び第２ステー５３Ｂが交差した状態で一端がカバー部材５５の下面に固定されると共に、他端が後述する可動部５１の側面に取り付けられ、それぞれの第１ステー５３Ａ及び第２ステー５３Ｂが左右に移動可能とされている。また、この第１ステー５３Ａ及び５３Ｂの例えば中央より右側には、前後に伸縮可能とするバネ部材５４が設けられており、係るバネ部材５４は、常に第１ステー５３Ａと第２ステー５３Ｂが近づいた状態、即ち、収縮した状態に付勢されている。
【００４４】
そして、カバー部材５５のコンベア５側には、左右に摺動可能とされる可動部５１が設けられていると共に、カバー部材５５の前部及び後部の下面には、所定間隔を存して案内部材５６、５７が設けられている。このとき、可動部５１の前端及び後端はそれぞれ所定寸法分だけ案内部材５６、５７が下側となるように重複して設けられており、可動部５１の係る重複部分の上面には、それぞれ可動用ローラ５８が複数取り付けられている。これにより、可動部５１がコンベア５側から押圧されると、可動ローラ５８によって容易に可動部５１がカバー部材５５側に移動し、前記第１ステー５３Ａ及び第２ステー５３Ｂが前記バネ部材５４を伸張する方向に変形させる。
【００４５】
案内部材５６、５７には、それぞれ前後方向、即ち取り付けた際にコンベア５の幅方向に延在する長孔６５が形成されており、係る長孔６５の前後方向の寸法分だけネジ止めする位置を変更することにより、コンベア５の幅方向に位置調整可能とされている。これにより、使用されるコンベア５の幅寸法に応じて案内部材５６、５７の位置を適宜調整可能とすることができ、利便性が向上される。
【００４６】
また、可動部５１には、カバー部材５５側の後部側端に、断面略Ｌ字状の磁石取付具６０が取り付けられており、この磁石取付具６０には、磁石６１が取り付けられている。また、可動部５１がカバー部材５５側に押圧されていない状態での磁石６１が取り付けられている位置に対応する案内部材５７には、コンベア停止スイッチ６３を取り付ける固定板６２が取り付けられている。この固定板６２は、断面が上方に開口するコ字状を呈しており、上端は、左右の外方に向けて延在されるフランジ６２Ａが形成されている。そして、固定板６２は下面にコンベア停止スイッチ６３を取り付けて磁石６１と対応するようにしている。このコンベア停止スイッチ６３は前記磁石６１の移動によってオンオフされている。
【００４７】
更にまた、前記固定板６２のフランジ６２Ａには、案内部材５７に固定するための左右方向に延在する長孔６２Ｂが形成されており、係る長孔６２Ｂの左右方向の寸法分だけネジ止めする位置を変更することにより、コンベア５の循環駆動方向に位置調整可能とされている。これにより、磁石６１の位置に応じてコンベア停止スイッチ６３がオンオフされる位置を適宜調整可能とすることができ、利便性が向上される。尚、図中において、６４はスペーサであり、可動部５１と案内部材５６、６７との間隔を保ち、磁石６１とコンベア停止スイッチ６３との間隔を一定に保つようにしている。
【００４８】
以上の構成により、コンベア５が運転され、順次食器等の被洗浄物が本体１の出口側の開口７から搬出されることにより、可動部５１がコンベア５の搬出方向に押圧されると、可動ローラ５８によって容易に可動部５１がカバー部材５５側に移動し、前記第１ステー５３Ａ及び第２ステー５３Ｂが前記バネ部材５４が伸張する方向に変形される。このとき、可動部５１に取り付けられる磁石取付具６０及び磁石６１もコンベア５の搬出方向に移動されることから、コンベア停止スイッチ６３は、前記磁石６１が移動されることにより、オフされ、コンベア５が停止される。これにより、安全にコンベア５を停止することができるようになる。
【００４９】
また、図１においてコンベア搬出部２１の端部に設けられるスイッチは、コンベア復帰スイッチ８２であり、コンベア停止スイッチ６３によって停止されたコンベア５を再び運転開始する際に押圧することにより、コンベア５が運転されるものである。尚、図１において、コンベア搬出部２１の下部に設けられた８１は運転スイッチであり、係る運転スイッチ８１を操作することにより、洗浄機ＤＷが運転開始される。
【００５０】
次に、図１３を参照して、本発明の食器洗浄機ＤＷの電気回路を説明する。図１３において７４は洗浄ポンプのポンプモータであり、三相交流電源のＳ相に接続されると共に、Ｔ相にはマグネットスイッチ７１Ａ及び洗浄ポンプの過熱を防止するためのサーマルプロテクタ７２を介して接続され、Ｒ相にはマグネットスイッチ７１Ｂ及び同じく洗浄ポンプの過熱を防止するためのサーマルプロテクタ７２を介して接続されている。
【００５１】
７３はすすぎポンプのポンプモータであり、Ｓ相にはマグネットスイッチ７５Ａを介して接続されると共に、Ｔ相にはマグネットスイッチ７５Ｂを介して接続され、Ｒ相にはマグネットスイッチ７１Ｃを介して接続されている。
【００５２】
７６はそれぞれ貯水タンク１０の補助加熱ヒータであり、Ｓ相に接続されると共に、Ｔ相にはマグネットスイッチ７７Ａ及びマグネットスイッチ７８Ａを介して接続されると共に、Ｒ相にはマグネットスイッチ７７Ｂ及びマグネットスイッチ７８Ｂを介して接続される。
【００５３】
７０はコンベアモータ５２の制御基板であり、Ｓ相、Ｔ相、Ｒ相が接続される。制御基板７０には、コンベア５の移動速度を調整するためのコンベア速度調整ボリューム７９と、コンベアモータ５２が接続されると共に、コンベアモータ５２の接点は常開接点のリレーＲ４を介してコンベア切換スイッチ８０に接続される。このコンベア切換スイッチ８０は、前進接点及び後進接点に切換可能に接続されている。
【００５４】
また、８１は運転スイッチであり、Ｒ相に接続されると共に、コンベア復帰スイッチ８２及び常時閉とされるコンベア停止スイッチ６３及びリレーＲ２を順次介してＳ相に接続されている。また、リレーＲ２に対して並列にリレーＲ４が接続されている。コンベア復帰スイッチ８２に対してリレーＲ２の常開接点及びリレーＲ１の常閉接点がそれぞれ並列に接続されている。リレーＲ１の常閉接点には、マグネットスイッチ７１Ｃが直列に接続されている。
【００５５】
更に、図１３に示す如く運転スイッチ８１とＳ相との間においてリレーＲ２の常開接点がリレーＲ１を介して並列に接続されており、このリレーＲ２とリレーＲ１との間には、リレーＲ１の接点８４が接続されている。また、運転スイッチ８１とＳ相との間には、マグネットスイッチ７１及びサーマルプロテクタ７２の常閉接点７２Ａが直列に接続されている。また、同じく運転スイッチ８１とＳ相との間には、マグネットスイッチ７５が並列に接続されている。また、同じく電磁弁８５、図示しない洗剤供給装置及びリンス剤供給装置もそれぞれ並列に接続されている。
【００５６】
また、９０は補助加熱スイッチであり、Ｒ相に接続されると共に、常開とされるサーモスイッチ９１及びマグネットスイッチ９２を介してＳ相に接続される。補助加熱スイッチ９０とＳ相との間において、貯水タンク１０の液位スイッチ９３を介してマグネットスイッチ９４が並列に接続されている。また、リレーＲ３及び洗浄表示Ｓ１及びすすぎ表示Ｓ２を接続した表示基板９５がＲ相とＳ相との間に接続されている。また、同じく運転スイッチ８１とＳ相との間には、マグネットスイッチ７５が並列に接続されている。また、同じく電磁弁８５、図示しない洗剤供給装置及びリンス剤供給装置もそれぞれ並列に接続されている。
【００５７】
以上の構成により、洗浄機ＤＷの動作について説明する。先ずはじめに、運転スイッチ８１を操作することにより、マグネットスイッチ７１、７５、電磁弁８５がＯＮとなり、これによって、マグネットスイッチ７１Ａ、７１Ｂ、７５Ａ、７５Ｂ、７５Ｃ、７５ＤがＯＮとなり、洗浄ポンプ及びすすぎポンプのポンプモータ７４、７３がそれぞれ運転され、洗浄水が上下洗浄ノズル１３Ａ、１３Ｂから噴出されると共に、すすぎ水が上下すすぎノズル１４Ａ、１４Ｂから噴出される。
【００５８】
また、マグネットスイッチ７１ＣがＯＮとされることによってリレーＲ２及びリレーＲ４がＯＮとなり、コンベアモータ５２が運転開始される。このとき、コンベア切換スイッチ８０は常に前進接点に切り替えられているため、コンベア５は、コンベア搬入部２０からコンベア搬出部２１に向かって移動される。尚、コンベア速度調整ボリューム７９を操作することによって、コンベア５の移動速度を変更することができる。また、リレーＲ２がＯＮされることによってリレーＲ１がＯＮされ、リレー１が接点８４に切り替えられる。これにより、リレーＲ１は自己保持される。
【００５９】
これによって、作業者等がコンベア搬入部２０において食器等の被洗浄物をコンベア５上に載置すると、コンベア５がコンベア搬入部２０からコンベア搬出部２１に向かって移動されるため、被洗浄物は、入口側の開口６から本体１内に進入する。本体１内に進入した被洗浄物は、洗浄領域２Ｗにおいて、上下洗浄ノズル１３Ａ、１３Ｂから噴出される洗浄水によって洗浄される。その後、すすぎ領域２Ｒにおいて、上下すすぎノズル１４Ａ、１４Ｂから噴出されるすすぎ水によって被洗浄物に付着した洗浄水が除去される。そして、洗浄が終了した被洗浄物は、出口側の開口７から外部に搬送される。
【００６０】
このとき、コンベア搬出部２１に搬出された被洗浄物を除去しない場合には、コンベア５が順次移動されることにより、係る被洗浄物は前記可動部５１をコンベア５の搬出方向に押圧する。これにより、可動ローラ５８によって容易に可動部５１がカバー部材５５側に移動し、前記第１ステー５３Ａ及び第２ステー５３Ｂが前記バネ部材５４が伸張する方向に変形される。可動部５１に取り付けられる磁石取付具６０及び磁石６１もコンベア５の搬出方向に移動されることから、コンベア停止スイッチ６３は、前記磁石６０が移動されることにより、非通電とされ、コンベア停止スイッチ６３が閉とされる。
【００６１】
これにより、リレーＲ４がＯＦＦとなり、コンベアモータ５２が停止される。そのため、作業者等によって可動部５１を押圧した被洗浄物を容易に除去することができるようになる。
【００６２】
また、本発明によれば、可動部５１を押圧した被洗浄物を除去した後、バネ部材５４によって第１ステー５３Ａ及び第２ステー５３Ｂが可動部５１を定位置に移動させ、コンベア停止スイッチ６３がＯＮとされた場合であっても、リレーＲ１が接点８４に切り替えられており、自己保持されているため、リレーＲ２、リレーＲ４が非通電とされ、コンベアモータ５２の運転は再開されない。
【００６３】
その後、コンベア復帰スイッチ８２を操作することにより、既に可動部５１を押圧した被洗浄物が除去され、可動部５１が定位置に移動され、コンベア停止スイッチ６３がＯＮとされているため、リレーＲ２がＯＮとされ、自己保持されると共に、リレーＲ４がＯＮとされることにより、コンベアモータ５２がＯＮとされ、コンベア５の運転が復帰される。
【００６４】
これにより、作業者は、可動部５１を押圧した被洗浄物を除去した後、余裕を持ってコンベア搬出部２１のコンベア５上に搬出された被洗浄物を除去することができるようになり、作業効率を向上させることができるようになる。
【００６５】
【発明の効果】
本発明によれば、シャフト間に張架され、循環駆動されるコンベアにより食器を搬送し、洗浄とすすぎを行う食器洗浄機において、従動側となるシャフトの両端部が挿通される軸位置調整用の長孔と、該長孔の外側に位置してシャフトに取り付けられた軸受具と、長孔の両側に設けられ、該長孔に沿う方向にのみ軸受具を移動可能に保持する支持レールと、長孔内におけるシャフトの位置を調整するための軸位置調整装置とを備え、長孔を、支持レールよりもコンベアの内方にシャフトの直径分以上の寸法で長く延在させたので、軸位置調整装置を操作することによって、軸受具を長孔及び支持レールに沿ってコンベア内方に移動させ、コンベア内方に位置する長孔より支持レールから軸受具を開放することができるようになる。
【００６６】
これにより、軸受具が開放された状態で、容易に軸受具を取り外すことが可能となり、コンベアをシャフト間に張架された状態で容易に軸受具のメンテナンスを行うことができるようになり、従来に比してメンテナンス等の作業性を向上させることができるようになる。
【００６７】
また、軸受具のメンテナンスを終了した際には、軸受具を支持レールに保持されるように、軸位置調整装置を操作し、これにより、軸受具が軸位置調整装置によってコンベアの外方に押圧され、これに伴って、軸受具に支持されるシャフトがコンベア外方に押圧される。そして、この軸位置調整装置の締め付け度合いを調整することによって、コンベアの張りを容易に調整することができるようになる。
【００６８】
請求項２の発明によれば、請求項１の発明に加えて、軸受具を保持する軸受支持具は、上下端に平坦面が形成されていると共に、この平坦面を支持レールに合致させているので、軸受支持具が支持レールの内壁に合致して取り付けることができるようになり、軸受具を安定して固定することができるようになる。
【００６９】
請求項３の発明によれば、請求項２の発明に加えて、軸受支持具の上下端の平坦面との間に軸位置調整装置を取り付ける取付孔を形成したので、軸位置調整装置を軸受支持具の取付孔に取り付けることができるようになる。
【００７０】
これにより軸位置調整装置を緩めることにより、軸位置調整装置に取り付けられた軸受支持具が前記長孔及び前記支持レールに沿って移動可能とすることができ、容易にコンベアの張りを調整することができるようになる。
【図面の簡単な説明】
【図１】  本発明の食器洗浄機の斜視図である。
【図２】  食器洗浄機の内部構造説明図である。
【図３】  洗浄室の洗浄領域内の部分拡大内部構造説明図である。
【図４】  洗浄室のすすぎ領域内の部分拡大内部構造説明図を示している。
【図５】  取付具の縦断正面図である。
【図６】  コンベア搬入部の透視正面図である。
【図７】  軸位置調整装置を緩めた際の透視正面図である。
【図８】  コンベアシャフトの部分拡大側断面図である。
【図９】  停止装置の下面図である。
【図１０】  コンベア搬出部の部分拡大下面図である。
【図１１】  停止装置の背面図である。
【図１２】  停止装置の側面図である。
【図１３】  食器洗浄機の電気回路図である。
【符号の説明】
ＤＷ  食器洗浄機
１  本体
２  洗浄室
５  コンベア
６、７  開口
１０  貯水タンク
１２  本体レール
１３Ａ、１３Ｂ  上下洗浄ノズル
１４Ａ、１４Ｂ  上下すすぎノズル
２０  コンベア搬入部
２１  コンベア搬出部
３５  搬入レール
３５Ａ  側壁
３６  カバー
３７  作業補助台
３８  コンベアシャフト
３９  コンベアスプロケット
４０  長孔
４１  軸受具
４２  支持レール
４２Ａ  支持面
４３  軸受支持具
４４  取付孔
４５  ねじ受け具
４６  ネジ部材
４７  スペーサ
５２  コンベアモータ
【図１】
0004526178.tif 000002
【図２】
0004526178.tif 000003
【図３】
0004526178.tif 000004
【図４】
0004526178.tif 000005
【図５】
0004526178.tif 000006
【図６】
0004526178.tif 000007
【図７】
0004526178.tif 000008
【図８】
0004526178.tif 000009
【図９】
0004526178.tif 000010
【図１０】
0004526178.tif 000011
【図１１】
0004526178.tif 000012
【図１２】
0004526178.tif 000013
【図１３】
0004526178.tif 000014